(57)【要約】      （修正有）【課題】設備費、ランニングコストを低減すると共に、栽培植物の根腐れや病気の発生を防止し少ない養液の供給で植物を栽培することができる養液非循環式縦型水耕栽培システム、方法の提供。【解決手段】ハウスの天井に吊るし又は床面に立設した複数の縦型水耕栽培筒１と縦型水耕栽培筒内に抜き差し可能に収容した培地２と養液収容タンク３から培地に養液８を供給する養液供給手段４とを備え、縦型水耕栽培筒は一側面に植物の苗を植え込む為の垂直方向のスリットを備え、培地は保水性シート２１とその両面を挟み込んだ通気性素材とで構成され、通気性素材の上端より突出した保水性シート上端部を少なくとも一方の通気性素材の上面に折曲げ載置され、養液供給手段には保水性シートへの養液供給量を調整する流量調整手段５を備え、流量調整手段から養液を折曲げられた保水性シートに滴下させるように構成され、保水性シートの下端部には水分量センサ６を備える。【選択図】図１
2018121551.tif 000002
【特許請求の範囲】
【請求項１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え、
前記培地は、保水性シートと、その両面を挟み込んだ通気性素材と、で構成され、
前記通気性素材の上端より突出した保水性シート上端部を少なくとも一方の通気性素材の上面に折り曲げ載置され、
前記養液供給手段には保水性シートへの養液供給量を調整する流量調整手段を備え、流量調整手段から養液を折り曲げられた保水性シートに滴下させるように構成され、
前記保水性シートの下端部には水分量センサを備えていることを特徴とする養液非循環式縦型水耕栽培システム。
【請求項２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成され、
前記保水性シートの下端部には水分量センサを備えていることを特徴とする養液非循環式縦型水耕栽培システム。
【請求項３】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、さらにその先端をもう一方の通気性素材の上面側に折り返し載置され、
前記養液供給手段から養液を折り返し載置された保水性シートに滴下させるように構成され、
前記保水性シートの下端部には水分量センサを備えていることを特徴とする養液非循環式縦型水耕栽培システム。
【請求項４】
請求項１〜３のいずれか１項に記載の養液非循環式縦型水耕栽培システムにおいて
前記流量調整手段が、手動バルブであることを特徴とする養液非循環式縦型水耕栽培システム。
【請求項５】
請求項１〜３のいずれか１項に記載の養液非循環式縦型水耕栽培システムにおいて
前記流量調整手段が、電動バルブと前記水分量センサからの信号により電動バルブを自動制御することにより、保水性シート下端部の保水量を飽和状態に制御する養液供給量制御手段とで構成されていることを特徴とする養液非循環式縦型水耕栽培システム。
【請求項６】
請求項１〜５のいずれか１項に記載の養液非循環式縦型水耕栽培システムにおいて、
前記折り曲げ又は折り返した保水性シート、又は別体の保水性シートを外側に行くに連れて高くなる傾斜状に形成されていること特徴とする養液非循環式縦型水耕栽培システム。
【請求項７】
前記請求項１〜５のいずれか１項に記載の養液非循環式縦型水耕栽培システムにおいて、
前記少なくとも片側の通気性素材の上面に保水性シートを中心として外側に行くに連れて高くなる傾斜上面を有する傾斜部材を備えていることを特徴とする養液非循環式縦型水耕栽培システム。
【請求項８】
請求項１〜５のいずれか１項に記載の養液非循環式縦型水耕栽培システムにおいて、
前記通気性素材の少なくとも片側の上面を保水性シートを中心として外側に行くに連れて高くなる傾斜状に形成されていること特徴とする養液非循環式縦型水耕栽培システム。
【請求項９】
請求項１〜８のいずれか１項に記載の養液非循環式縦型水耕栽培システムにおいて、
前記縦型水耕栽培筒の下部に保水性シートから滴下した養液を受けるドレンパンを備えることを特徴とする養液非循環式縦型水耕栽培システム。
【請求項１０】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を少なくとも一方の通気性素材の上面に折り曲げ載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させ、
前記保水性シートの下端部には水分量センサを備え、
前記保水性シートと一方の通気性素材との間に複数の植物の苗を挟み込んだ状態で、前記養液供給手段から養液を折り曲げ載置された保水性シート又は別体の保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、さらにその先端をもう一方の通気性素材の上面側に折り返し載置し、
前記保水性シートの下端部には水分量センサを備え、
前記保水性シートと一方の通気性素材との間に複数の植物の苗を挟み込んだ状態で、前記養液供給手段から養液を折り返された保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１３】
請求項１０〜１２のいずれか１項に記載の養液非循環式縦型水耕栽培方法おいて、
前記少なくとも片側の通気性素材の上面に保水性シートを中心として外側に行くに連れて高くなる傾斜上面を有する傾斜部材を備えることを特徴とする養液非循環式縦型水耕栽培方法。
【請求項１４】
請求項１０〜１２のいずれか１項に記載の養液非循環式縦型水耕栽培方法おいて、
前記少なくとも片側の通気性素材の上面を保水性シートを中心として外側に行くに連れて高くなる傾斜状に形成されていること特徴とする養液非循環式縦型水耕栽培方法。
【発明の詳細な説明】
【背景技術】
【０００１】
従来、養液を循環使用する養液循環式縦型水耕栽培システムとしては、特許文献１に記載の物が知られている。
この従来例の養液循環式縦型水耕栽培システムは、コンテナを用いたＬＥＤ照明型であるが、コンテナの天井に吊るした複数の垂直ラック（縦型水耕栽培筒）と、垂直ラック内の培地に養液を供給する灌漑システム（養液供給手段）と、垂直ラックから滴り落ちた養液を収集し、栄養貯蔵室（養液収容タンク）に送り返す戻り溝（養液回収循環手段）と、人工光による照明システムと、を備えている。
また、前記垂直ラックは、断面方形でその一側面に植物の苗を植え込むための垂直方向のスリットを備えた構造になっている。この垂直ラック内にはスポンジ、ヤシ殻、ロックウール、等の培地が交換可能に差し込まれている（特許文献１参照）。
以上のように、従来のほぼ全ての循環式縦型水耕栽培システムにおいては、養液収容タンクから培地に養液を供給する養液供給手段と、培地から排出される養液を回収して養液収容タンクに戻す養液回収循環手段を備えている。
【先行技術文献】
【特許文献】
【０００２】
【特許文献１】特表２０１５−５２１８５１号公報
【発明の概要】
【発明が解決しようとする課題】
【０００３】
しかしながら、従来の養液循環式の縦型水耕栽培システムでは、養液が循環することで養液が劣化し、菌が増殖するリスクが高まるため、植物の育成に支障を来たすことや、養液中に病気が混入した場合、すぐに全体に広がり、被害が拡大するという問題がある。これを防ぐためには、設備全体の定期的なクリーニングが必要で、ランニングコストが増大するという問題がある。
【０００４】
また、養液循環方式だと養液供給装置の他に養液回収循環装置が必要で設備費が高く付き、設備の複雑化により拡張性に欠けるという問題もある。
【０００５】
また、従来例の養液循環式縦型水耕栽培システムのように、縦型水耕栽培筒内に１種類の培地を収容した状態では、培地内の空壁を水と空気が奪い合うことになるので、養液量によって気相比率が低くなって根腐れを生じる等、栽培を成功させることが簡単ではなく、また、水相・気体相のバランスが良いもののみに使用が限られていた。
すなわち、培地の保水性が高く通気性が低い（培地中の気相比率が低すぎる）と、根腐れを生じ、逆に通気性が高く保水性が低い（培地中の液相比率が低すぎる）と、苗を枯らさないためには大量の養液の供給が必要で、養液の供給又は循環に用いられるポンプの容量が大きくなるため、設備費及びランニングコストが高くつくという問題点があった。
【０００６】
本発明の解決しようとする課題は、設備費及びランニングコストを低減すると共に、栽培植物の根腐れや病気の発生を防止し、少ない養液の供給で植物を栽培することができる養液非循環式縦型水耕栽培システム及び縦型水耕栽培方法を提供することにある。
【課題を解決するための手段】
【０００７】
上記課題を解決するため請求項１記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え、
前記培地は、保水性シートと、その両面を挟み込んだ通気性素材と、で構成され、
前記通気性素材の上端より突出した保水性シート上端部を少なくとも一方の通気性素材の上面に折り曲げ載置され、
前記養液供給手段には保水性シートへの養液供給量を調整する流量調整手段を備え、流量調整手段から養液を折り曲げられた保水性シートに滴下させるように構成され、
前記保水性シートの下端部には水分量センサを備えていることを特徴とする。
【０００８】
請求項２記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成され、
前記保水性シートの下端部には水分量センサを備えていることを特徴とする。
【０００９】
請求項３記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、さらにその先端をもう一方の通気性素材の上面側に折り返し載置され、
前記養液供給手段から養液を折り返し載置された保水性シートに滴下させるように構成され、
前記保水性シートの下端部には水分量センサを備えていることを特徴とする。
【００１０】
請求項４記載の養液非循環式縦型水耕栽培システムは、請求項１〜３のいずれか１項に記載の養液非循環式縦型水耕栽培システムにおいて
前記流量調整手段が、手動バルブであることを特徴とする。
【００１１】
請求項５記載の養液非循環式縦型水耕栽培システムは、請求項１〜３のいずれか１項に記載の養液非循環式縦型水耕栽培システムにおいて
前記流量調整手段が、電動バルブと前記水分量センサからの信号により電動バルブを自動制御することにより、保水性シート下端部の保水量を飽和状態に制御する養液供給量制御手段とで構成されていることを特徴とする。
【００１２】
請求項６記載の養液非循環式縦型水耕栽培システムは、請求項１〜５のいずれか１項に記載の養液非循環式縦型水耕栽培システムにおいて、
前記折り曲げ又は折り返した保水性シート、又は別体の保水性シートを外側に行くに連れて高くなる傾斜状に形成されていること特徴とする。
【００１３】
請求項７記載の養液非循環式縦型水耕栽培システムは、前記請求項１〜５のいずれか１項に記載の養液非循環式縦型水耕栽培システムにおいて、
前記少なくとも片側の通気性素材の上面に保水性シートを中心として外側に行くに連れて高くなる傾斜上面を有する傾斜部材を備えていることを特徴とする。
【００１４】
請求項８記載の養液非循環式縦型水耕栽培システムは、請求項１〜５のいずれか１項に記載の養液非循環式縦型水耕栽培システムにおいて、
前記通気性素材の少なくとも片側の上面を保水性シートを中心として外側に行くに連れて高くなる傾斜状に形成されていること特徴とする。
【００１５】
請求項９記載の養液非循環式縦型水耕栽培システムは、請求項１〜８のいずれか１項に記載の養液非循環式縦型水耕栽培システムにおいて、
前記縦型水耕栽培筒の下部に保水性シートから滴下した養液を受けるドレンパンを備えることを特徴とする。
【００１６】
請求項１０記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を少なくとも一方の通気性素材の上面に折り曲げ載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シートに滴下させると共に、前記水分量センサで検出された保水性シート下端部の保水量が飽和状態になるように流量調整手段で調整することにより保水性シートに供給された養液で植物の苗を育成することを特徴とする。
【００１７】
請求項１１記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させ、
前記保水性シートの下端部には水分量センサを備え、
前記保水性シートと一方の通気性素材との間に複数の植物の苗を挟み込んだ状態で、前記養液供給手段から養液を折り曲げ載置された保水性シート又は別体の保水性シートに滴下させると共に、前記水分量センサで検出された保水性シート下端部の保水量が飽和状態になるように流量調整手段で調整することにより保水性シートに供給された養液で植物の苗を育成することを特徴とする。
【００１８】
請求項１２記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、さらにその先端をもう一方の通気性素材の上面側に折り返し載置し、
前記保水性シートの下端部には水分量センサを備え、
前記保水性シートと一方の通気性素材との間に複数の植物の苗を挟み込んだ状態で、前記養液供給手段から養液を折り返された保水性シートに滴下させると共に、前記水分量センサで検出された保水性シート下端部の保水量が飽和状態になるように流量調整手段で調整することにより保水性シートに供給された養液で植物の苗を育成することを特徴とする。
【００１９】
請求項１３記載の養液非循環式縦型水耕栽培方法は、請求項１０〜１２のいずれか１項に記載の非循環式縦型水耕栽培方法おいて、
前記少なくとも片側の通気性素材の上面に保水性シートを中心として外側に行くに連れて高くなる傾斜上面を有する傾斜部材を備えることを特徴とする。
【００２０】
請求項１４記載の養液非循環式縦型水耕栽培方法は請求項１０〜１２のいずれか１項に記載の非循環式縦型水耕栽培方法おいて、
前記少なくとも片側の通気性素材の上面を保水性シートを中心として外側に行くに連れて高くなる傾斜状に形成されていること特徴とする。
【発明の効果】
【００２１】
本発明の養液非循環式縦型水耕栽培システムでは、上述のように、養液回収循環装置を有しない養液非循環式であるため、設備費及び定期クリーニング時におけるランニングコストの低減化が可能になる。
また、流量調整手段から養液を折り曲げた（又は別体の、折り返した）保水性シートに滴下させ、保水性シートの下端部には水分量センサを備えることで、水分量センサにより計測された保水性シートの下端部の水分量が丁度飽和状態になるように流量調整手段を操作することができ、これにより、養液回収循環装置の設置が不要、若しくはドレンパンのような簡易なもので済む。
また、培地は、植物の苗を植え込む保水性シートと、その両面を挟み込んだ通気性素材とで構成され、流量調整手段から養液を折り曲げた（又は別体の、折り返した）保水性シートに滴下させるようにしたことで、保水性シートと通気性素材との間に挟み込んだ植物の苗の根に確実に酸素が供給されるため、栽培植物の根腐れを防止することができる。
また、養液を保水性シートに供給するだけであるため、少ない養液の供給で植物を栽培することができると共に、養液の供給に用いられるポンプとして容量の小さなポンプの使用が可能になるため、設備費及びランニングコストの低減が可能になる。
また、培地として保水性シートと通気性素材の２部構成にし、役割分担することにより、保水性は低いが通気性に優れて安価なものや供給容易なもの・通気性は低いが保水性に優れて安価なものや供給容易なものであれば広く使用でき、材料の選択の幅を広げることができる。
また、重量が軽い、壊れにくいものなどを選択することにより、使い易さ等の性能を向上させることができる。
また、単に保水性シートを通気性素材に挟んだだけでは供給した養液の一部のみしか保水性シートに到達せず、通気性素材の空隙部分から多くは失われるため、多量の養液を供給しなければ植物の育成に不十分だった。
それに対し、本発明では、通気性素材の上面に保水性シートの端部を配置することにより、養液を保水性シートに効果的に集めることができるので、養液の落下位置のバラツキが大きい養液供給装置を用いたとしても少ない養液の供給で植物を栽培することができる。従って、養液の供給又は循環に用いられるポンプとして容量の小さなポンプの使用が可能になり、これにより、設備費及びランニングコストの低減が可能になる。
【００２２】
また、流量調整手段として手動バルブを用いることで、水分量センサにより計測された保水性シートの下端部の水分量が丁度飽和状態になるように手動バルブを手動で調整することができる。
【００２３】
また、流量調整手段として電動バルブと、養液供給量制御手段を備えることで、水分量センサにより計測された保水性シートの下端部の水分量が丁度飽和状態になるように電動バルブを自動制御することができる。
【００２４】
また、前記縦型水耕栽培筒の下部に保水性シートから滴下した養液を受けるドレンパンを備えることで、保水性シート下端部の水分量が飽和状態を超えた場合の養液を収容することができる。
【００２５】
また、折り曲げ又は折り返した保水性シート、又は別体の保水性シートを外側に行くに連れて高くなる傾斜状に形成することにより、折り曲げ又は折り返した保水性シート、又は別体の保水性シートに滴下した養液の外部への飛び跳ねを防止すると共に、保水性シートに滴下された養液の通気性素材への漏れや蒸発を防止してより効率的に養液を活用することができるようになる。
【００２６】
また、前記少なくとも片側の通気性素材の上面に保水性シートを中心として外側に行くに連れて高くなる傾斜上面を有する傾斜部材を備えることで、養液を保水性シートに集中的に供給することができるようになる。
【００２７】
前記通気性素材の少なくとも片側の上面を保水性シートを中心として外側に行くに連れて高くなる傾斜状に形成されることで、養液を保水性シートに集中的に供給することができるようになる。
【図面の簡単な説明】
【００２８】
【図１】実施例１の非循環式縦型水耕栽培システムを示す全体説明図である。
【図２】図１のＡ−Ａ線における拡大横断断面図である。
【図３】実施例１の培地を示す拡大正面図である。
【図４】実施例２の培地を示す拡大正面図である。
【図５】実施例３の培地を示す拡大正面図である。
【図６】実施例４の縦型水耕栽培システムを示す(a)、(b)、(c)３タイプの要部拡大正面図である。
【図７】実施例４の傾斜部材を示す斜視図である。
【図８】実施例５の非循環式縦型水耕栽培システムを示す全体説明図である。
【発明を実施するための形態】
【００２９】
以下にこの発明の実施例を図面に基づいて説明する。
【実施例１】
【００３０】
まず、この実施例１の非循環式縦型水耕栽培システムを図面に基づいて説明する。
この実施例１の非循環式縦型水耕栽培システムは、図１〜３に示すように、縦型水耕栽培筒１と、培地２と、養液収容タンク３と、養液供給手段４と、流量調整手段５と、水分量センサ６と、を主な構成として備えている。
【００３１】
さらに詳述すると、前記縦型水耕栽培筒１は、断面方形の筒状で、その一側面に植物の苗７を植え込むための垂直方向のスリット１１を備え、ハウス等の天井に吊るした又は床面に立設した状態で備えられている。
【００３２】
前記培地２は、保水性シート２１と、その両面を挟み込んだ通気性素材２２、２３と、で構成され、縦型水耕栽培筒１内に抜き差し可能に差込収容されている。
【００３３】
また、保水性シート２１の上端部を通気性素材２２、２３の上端より突出させて、一方の通気性素材２３の上面に折り曲げ載置し、養液供給手段４から養液８を折り曲げ載置された保水性シート２１ａに滴下させるように構成されている。
【００３４】
前記水分量センサ６は、保水性シート２１の下端部の水分量を計測するもので、保水性シート２１の下端部に備えられている。この水分量センサ６で計測された水分量は水分量計６１に表示される。
【００３５】
前記流量調整手段５は、保水性シート２１への養液８の滴下量を調整するもので、この実施例１では電動バルブ５１と、前記水分量センサ６からの信号により電動バルブ５１を自動制御することにより保水性シート２１下端部の保水量を飽和状態になるように制御する養液供給量制御手段５２を備えている。
また、縦型水耕栽培筒１の下部に保水性シート２１から滴下した養液８を受けるドレンパン９を備えることで、保水性シート２１の下端部の水分量が飽和状態を超えた場合の養液８を収容することができる。なお、このドレンパン９内には保水性素材９１を収容することにより、養液８の蒸発を抑制する。
【００３６】
次に、この実施例１の作用・効果を説明する。
【００３７】
この実施例１の非循環式縦型水耕栽培システムでは、上述のように構成されるため、図２、３に示すように、保水性シート２１と通気性素材２２との間に複数の植物の苗７を挟み込んだ状態で培地２を縦型水耕栽培筒１の中に差込装着し、養液供給ポンプ４１で養液８を折り曲げた保水性シート２１ａの上端部に滴下させると、苗７は保水性シート２１から養液８を吸収して成長し、根は通気性素材２２方向に成長する。
【００３８】
以上のように、保水性シート２１と通気性素材と２２の間に挟み込んだ植物の苗７の根が通気性素材２２に接した状態で成長するため、栽培植物の根腐れを防止することができる。
また、養液供給手段４から養液８を折り曲げ載置された保水性シート２１ａに滴下させることで、養液８を保水性シート２１にロスすることなく効果的に集めることができるようになる。従って、養液８の供給に用いられるポンプとして容量の小さなポンプの使用が可能になり、これにより、設備費及びランニングコストの低減が可能になる。
【００３９】
また、養液回収循環装置を有しない養液非循環式であるため、設備費及び定期クリーニング時におけるランニングコストの低減化が可能になる。
また、流量調整手段５から養液８を折り曲げた保水性シート２１ａに滴下させ、保水性シート２１の下端部には水分量センサ６を備えることで、水分量センサ６により計測された保水性シート２１の下端部の水分量が丁度飽和状態になるように流量調整手段５を操作することができ、これにより、養液回収装置の設置が不要、若しくはドレンパン９のような簡易なもので済む。
【００４０】
また、流量調整手段５には、電動バルブ５１と、水分量センサ６からの信号により電動バルブ５１を自動制御することにより保水性シート２１下端部の保水量を飽和状態になるように制御する養液供給量制御手段５２を備えるため、保水性シート下端部の保水量を常に飽和状態に維持することができる。これにより、余分な養液８の供給を抑制することができる。
【００４１】
次に、従来例と本実施例との栽培比較実験例について説明する。
１．本実施例：厚さ４．８cm、幅１０cm、長さ１５０cm  の通気性素材(ポリエチレン)を半分の長さで２枚に折り畳み、その間に、厚さ１mm、幅９cm、長さ７０ｃmのポリエステルフェルト（保水性シート）を挟み込み、フェルトの上端部５ｃmをポリエチレンンの上端より突出させ、その突出部をポリエチレンの上面に折り曲げ載置した状態で、断面の一辺が１０cmの正方形で、その一辺にスリットを有する縦型水耕栽培筒に差し込んだ状態。
２．比較例１：フェルトの上端部をポリエチレンの上端より上部に突出させない状態。
３．比較例２：培地がフェルトを含まないポリエチレンのみの状態。
これら上記３種の縦型水耕栽培筒に対し、バジル苗の定植を行った。
苗は９cmのポットに植わっている、草丈７〜１０cmのものを用い、水道水で根から土を洗い落とした後、ポリエチレンとフェルトとの間（比較例２の場合は両ポリエチレン相互間）にバジル苗の地下部を挟み込み、縦型水耕栽培筒に差込装着した。
肥料養液（ＯＡＴハウス１号を濃度0.8ｇ/Ｌとなるように溶解した水溶液）を毎分20ｇの速度で滴下しながら３日間太陽光下で栽培を行った。
【００４２】
比較実験結果
実施例：６苗中６苗全てが順調に生育した。
比較例１：６苗中２苗は生育を続けたが、４苗が枯れた。
比較例２：６苗中１苗は生育を続けたが、５苗が枯れた。
【００４３】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００４４】
この実施例２の縦型水耕栽培システムは、図４に示すように、前記実施例１における保水性シート２が折り曲げ載置された通気性素材２３とは反対側の通気性素材２２の上面に別体の保水性シート２４を載置し、その下端部を前記保水性シート２１と通気性素材２２との間に挟み込むことによりに保水性シート２１に接触させた構成とし、養液供給手段４から養液８を折り曲げ載置された保水性シート２１ａ又は別体の保水性シート２４に滴下させるように構成されている点で、前記実施例１とは相違したものである。
【００４５】
従って、この実施例２によれば、養液供給手段４から養液８を折り曲げ載置された保水性シート２１ａ又は別体の保水性シート２４に滴下させることで、養液８を保水性シート２１に集中的に供給することができるようになる。
また、両通気性素材２２、２３の上面を保水性シート２１を中心として外側に行くに連れて高くなる傾斜状に形成することにより、折り曲げ載置された保水性シート２１ａ、又は別体の保水性シート２４に滴下した養液８の外部への飛び跳ねを防止すると共に、保水性シート２１に滴下された養液の通気性素材２２、２３への漏れや蒸発を防止してより効率的に養液８を活用することができるようになる。
【実施例３】
【００４６】
この実施例３の縦型水耕栽培システムは、図５に示すように、実施例１における保水性シート２１の上端部を一方の通気性素材２３の上面に折り曲げ載置した保水性シート２１ａの先端部さらにもう一方の通気性素材２２の上面側に折り返し載置し、養液供給手段４から養液８を折り返し載置された保水性シート２１ｂに滴下させるように構成されている点で、前記実施例１とは相違したものである。
【００４７】
従って、この実施例３によれば、養液供給手段４から養液８を折り返し載置された保水性シート２１ｂに滴下させることで、養液８を保水性シート２１に集中的に供給することができるようになる。
また、両通気性素材２２、２３の上面を保水性シート２１を中心として外側に行くに連れて高くなる傾斜状に形成することにより、折り返し載置された保水性シート２１ｂに滴下した養液８の外部への飛び跳ねを防止すると共に、保水性シート２１ｂに滴下された養液８の通気性素材２２、２３への漏れや蒸発を防止してより効率的に養液８を活用することができるようになる。
【実施例４】
【００４８】
この実施例４の縦型水耕栽培システムは、図６の（ａ）、（ｂ）、（ｃ）、及び図７に示すように、前記両通水性素材の２２、２３上面に保水性シート２１を中心として外側に行くに連れて高くなる傾斜上面を有する断面略直角三角形の傾斜部材１０を備えた点で、前記実施例１〜３とは相違したものである。
【００４９】
従って、この実施例４によれば、養液供給手段４から折り曲げた保水性シート２１ａ（別体の保水性シート２４、折り返した保水性シート２１ｂ）に滴下した養液８の外部への飛び跳ねを防止し、保水性シート２１に集中的に供給することができ、これにより、折り曲げた保水性シート２１ａ（別体の保水性シート２４、折り返した保水性シート２１ｂ）に滴下された養液８の通気性素材２２、２３への漏れや蒸発を防止してより効率的に養液８を活用することができるようになる。
なお、傾斜部材１０の素材は任意であるが、少なくとも傾斜上面は通水性を有しない素材で構成されていることが望ましい。
また、傾斜部材１０の形状は、傾斜上面を形成するならば、断面は略直角三角形に限らず、任意である。また、傾斜部材１０の傾斜上面は直線に限らず、その他に例えば凹曲面にしてもよい。
【実施例５】
【００５０】
この実施例５の養液非循環式縦型水耕栽培システムは、図８に示すよう、流量調整手段５として、手動バルブ５３が用いられている点が、前記実施例１〜４とは相違したものである。
従って、この実施例５では、保水量計６１に表示された保水性シート２１の下端部の水分量が飽和状態を維持するように手動バルブ５３を調整する。
【００５１】
以上本実施例を説明してきたが、本発明は上述の実施例に限られるものではなく、本発明の要旨を逸脱しない範囲の設計変更等があっても、本発明に含まれる。
【００５２】
例えば、実施例では縦型水耕栽培筒を断面略方形としたが、方形以外の筒状でもよい。
【００５３】
また、この実施例では、その光源として太陽光の他にＬＥＤ等の人工光を用いる場合にも適用することができる。人工光を利用する場合は、縦型水耕栽培筒１のスリット１１側面にＬＥＤ等の人工光装置を備える。
【符号の説明】
【００５４】
１  縦型水耕栽培筒
１１  スリット
２  培地
２１  保水性シート
２１ａ  折り曲げた保水性シート
２１ｂ  折り返した保水性シート
２２  通気性素材
２３  通気性素材
２４  別体の保水性シート
３  養液収容タンク
４  養液供給手段
４１  養液供給ポンプ
５  流量調整手段
５１  電動バルブ
５２  養液供給量制御手段
５３  手動バルブ
６  水分量センサ
６１  水分量計
７  植物の苗
８  養液
９  ドレンパン
９１  保水性素材
１０  傾斜部材
【図１】
2018121551.tif 000003
【図２】
2018121551.tif 000004
【図３】
2018121551.tif 000005
【図４】
2018121551.tif 000006
【図５】
2018121551.tif 000007
【図６】
2018121551.tif 000008
【図７】
2018121551.tif 000009
【図８】
2018121551.tif 000010
【手続補正書】
【提出日】平成29年2月2日(2017.2.2)
【手続補正１】
【補正対象書類名】明細書
【補正対象項目名】全文
【補正方法】変更
【補正の内容】
【発明の詳細な説明】
【技術分野】
【０００１】
本発明は、養液を供給するのみで循環させない養液非循環式縦型水耕栽培システム及び縦型水耕栽培方法に関する。
【背景技術】
【０００２】
従来、養液を循環使用する養液循環式縦型水耕栽培システムとしては、特許文献１に記載の物が知られている。
この従来例の養液循環式縦型水耕栽培システムは、コンテナを用いたＬＥＤ照明型であるが、コンテナの天井に吊るした複数の垂直ラック（縦型水耕栽培筒）と、垂直ラック内の培地に養液を供給する灌漑システム（養液供給手段）と、垂直ラックから滴り落ちた養液を収集し、栄養貯蔵室（養液収容タンク）に送り返す戻り溝（養液回収循環手段）と、人工光による照明システムと、を備えている。
また、前記垂直ラックは、断面方形でその一側面に植物の苗を植え込むための垂直方向のスリットを備えた構造になっている。この垂直ラック内にはスポンジ、ヤシ殻、ロックウール、等の培地が交換可能に差し込まれている（特許文献１参照）。
以上のように、従来のほぼ全ての循環式縦型水耕栽培システムにおいては、養液収容タンクから培地に養液を供給する養液供給手段と、培地から排出される養液を回収して養液収容タンクに戻す養液回収循環手段を備えている。
【先行技術文献】
【特許文献】
【０００３】
【特許文献１】特表２０１５−５２１８５１号公報
【発明の概要】
【発明が解決しようとする課題】
【０００４】
しかしながら、従来の養液循環式の縦型水耕栽培システムでは、養液が循環することで養液が劣化し、菌が増殖するリスクが高まるため、植物の育成に支障を来たすことや、養液中に病気が混入した場合、すぐに全体に広がり、被害が拡大するという問題がある。これを防ぐためには、設備全体の定期的なクリーニングが必要で、ランニングコストが増大するという問題がある。
また、養液循環方式だと養液供給装置の他に養液回収循環装置が必要で設備費が高く付き、設備の複雑化により拡張性に欠けるという問題もある。
【０００５】
また、従来例の養液循環式縦型水耕栽培システムのように、縦型水耕栽培筒内に１種類の培地を収容した状態では、培地内の空壁を水と空気が奪い合うことになるので、養液量によって気相比率が低くなって根腐れを生じる等、栽培を成功させることが簡単ではなく、また、水相・気体相のバランスが良いもののみに使用が限られていた。
すなわち、培地の保水性が高く通気性が低い（培地中の気相比率が低すぎる）と、根腐れを生じ、逆に通気性が高く保水性が低い（培地中の液相比率が低すぎる）と、苗を枯らさないためには大量の養液の供給が必要で、養液の供給又は循環に用いられるポンプの容量が大きくなるため、設備費及びランニングコストが高くつくという問題点があった。
【０００６】
本発明の解決しようとする課題は、設備費及びランニングコストを低減すると共に、栽培植物の根腐れや病気の発生を防止し、少ない養液の供給で植物を栽培することができる養液非循環式縦型水耕栽培システム及び縦型水耕栽培方法を提供することにある。
【課題を解決するための手段】
【０００７】
上記課題を解決するため請求項１記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え、
前記培地は、保水性シートと、その両面を挟み込んだ通気性素材と、で構成され、
前記通気性素材の上端より突出した保水性シート上端部を少なくとも一方の通気性素材の上面に折り曲げ載置され、
前記養液供給手段には保水性シートへの養液供給量を調整する流量調整手段を備え、流量調整手段から養液を折り曲げられた保水性シートに滴下させるように構成され、
前記保水性シートの下端部には水分量センサを備えていることを特徴とする。
【０００８】
請求項２記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成され、
前記保水性シートの下端部には水分量センサを備えていることを特徴とする。
【０００９】
請求項３記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、さらにその先端をもう一方の通気性素材の上面側に折り返し載置され、
前記養液供給手段から養液を折り返し載置された保水性シートに滴下させるように構成され、
前記保水性シートの下端部には水分量センサを備えていることを特徴とする。
【００１０】
請求項４記載の養液非循環式縦型水耕栽培システムは、請求項１〜３のいずれか１項に記載の養液非循環式縦型水耕栽培システムにおいて
前記流量調整手段が、手動バルブであることを特徴とする。
【００１１】
請求項５記載の養液非循環式縦型水耕栽培システムは、請求項１〜３のいずれか１項に記載の養液非循環式縦型水耕栽培システムにおいて
前記流量調整手段が、電動バルブと前記水分量センサからの信号により電動バルブを自動制御することにより、保水性シート下端部の保水量を飽和状態に制御する養液供給量制御手段とで構成されていることを特徴とする。
【００１２】
請求項６記載の養液非循環式縦型水耕栽培システムは、請求項１〜５のいずれか１項に記載の養液非循環式縦型水耕栽培システムにおいて、
前記折り曲げ又は折り返した保水性シート、又は別体の保水性シートを外側に行くに連れて高くなる傾斜状に形成されていること特徴とする。
【００１３】
請求項７記載の養液非循環式縦型水耕栽培システムは、前記請求項１〜５のいずれか１項に記載の養液非循環式縦型水耕栽培システムにおいて、
前記少なくとも片側の通気性素材の上面に保水性シートを中心として外側に行くに連れて高くなる傾斜上面を有する傾斜部材を備えていることを特徴とする。
【００１４】
請求項８記載の養液非循環式縦型水耕栽培システムは、請求項１〜５のいずれか１項に記載の養液非循環式縦型水耕栽培システムにおいて、
前記通気性素材の少なくとも片側の上面を保水性シートを中心として外側に行くに連れて高くなる傾斜状に形成されていること特徴とする。
【００１５】
請求項９記載の養液非循環式縦型水耕栽培システムは、請求項１〜８のいずれか１項に記載の養液非循環式縦型水耕栽培システムにおいて、
前記縦型水耕栽培筒の下部に保水性シートから滴下した養液を受けるドレンパンを備えることを特徴とする。
【００１６】
請求項１０記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を少なくとも一方の通気性素材の上面に折り曲げ載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シートに滴下させると共に、前記水分量センサで検出された保水性シート下端部の保水量が飽和状態になるように流量調整手段で調整することにより保水性シートに供給された養液で植物の苗を育成することを特徴とする。
【００１７】
請求項１１記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させ、
前記保水性シートの下端部には水分量センサを備え、
前記保水性シートと一方の通気性素材との間に複数の植物の苗を挟み込んだ状態で、前記養液供給手段から養液を折り曲げ載置された保水性シート又は別体の保水性シートに滴下させると共に、前記水分量センサで検出された保水性シート下端部の保水量が飽和状態になるように流量調整手段で調整することにより保水性シートに供給された養液で植物の苗を育成することを特徴とする。
【００１８】
請求項１２記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、さらにその先端をもう一方の通気性素材の上面側に折り返し載置し、
前記保水性シートの下端部には水分量センサを備え、
前記保水性シートと一方の通気性素材との間に複数の植物の苗を挟み込んだ状態で、前記養液供給手段から養液を折り返された保水性シートに滴下させると共に、前記水分量センサで検出された保水性シート下端部の保水量が飽和状態になるように流量調整手段で調整することにより保水性シートに供給された養液で植物の苗を育成することを特徴とする。
【００１９】
請求項１３記載の養液非循環式縦型水耕栽培方法は、請求項１０〜１２のいずれか１項に記載の非循環式縦型水耕栽培方法おいて、
前記少なくとも片側の通気性素材の上面に保水性シートを中心として外側に行くに連れて高くなる傾斜上面を有する傾斜部材を備えることを特徴とする。
【００２０】
請求項１４記載の養液非循環式縦型水耕栽培方法は請求項１０〜１２のいずれか１項に記載の非循環式縦型水耕栽培方法おいて、
前記少なくとも片側の通気性素材の上面を保水性シートを中心として外側に行くに連れて高くなる傾斜状に形成されていること特徴とする。
【発明の効果】
【００２１】
本発明の養液非循環式縦型水耕栽培システムでは、上述のように、養液回収循環装置を有しない養液非循環式であるため、設備費及び定期クリーニング時におけるランニングコストの低減化が可能になる。
また、流量調整手段から養液を折り曲げた（又は別体の、折り返した）保水性シートに滴下させ、保水性シートの下端部には水分量センサを備えることで、水分量センサにより計測された保水性シートの下端部の水分量が丁度飽和状態になるように流量調整手段を操作することができ、これにより、養液回収循環装置の設置が不要、若しくはドレンパンのような簡易なもので済む。
また、培地は、植物の苗を植え込む保水性シートと、その両面を挟み込んだ通気性素材とで構成され、流量調整手段から養液を折り曲げた（又は別体の、折り返した）保水性シートに滴下させるようにしたことで、保水性シートと通気性素材との間に挟み込んだ植物の苗の根に確実に酸素が供給されるため、栽培植物の根腐れを防止することができる。
また、養液を保水性シートに供給するだけであるため、少ない養液の供給で植物を栽培することができると共に、養液の供給に用いられるポンプとして容量の小さなポンプの使用が可能になるため、設備費及びランニングコストの低減が可能になる。
また、培地として保水性シートと通気性素材の２部構成にし、役割分担することにより、保水性は低いが通気性に優れて安価なものや供給容易なもの・通気性は低いが保水性に優れて安価なものや供給容易なものであれば広く使用でき、材料の選択の幅を広げることができる。
また、重量が軽い、壊れにくいものなどを選択することにより、使い易さ等の性能を向上させることができる。
また、単に保水性シートを通気性素材に挟んだだけでは供給した養液の一部のみしか保水性シートに到達せず、通気性素材の空隙部分から多くは失われるため、多量の養液を供給しなければ植物の育成に不十分だった。
それに対し、本発明では、通気性素材の上面に保水性シートの端部を配置することにより、養液を保水性シートに効果的に集めることができるので、養液の落下位置のバラツキが大きい養液供給装置を用いたとしても少ない養液の供給で植物を栽培することができる。従って、養液の供給又は循環に用いられるポンプとして容量の小さなポンプの使用が可能になり、これにより、設備費及びランニングコストの低減が可能になる。
【００２２】
また、流量調整手段として手動バルブを用いることで、水分量センサにより計測された保水性シートの下端部の水分量が丁度飽和状態になるように手動バルブを手動で調整することができる。
【００２３】
また、流量調整手段として電動バルブと、養液供給量制御手段を備えることで、水分量センサにより計測された保水性シートの下端部の水分量が丁度飽和状態になるように電動バルブを自動制御することができる。
【００２４】
また、前記縦型水耕栽培筒の下部に保水性シートから滴下した養液を受けるドレンパンを備えることで、保水性シート下端部の水分量が飽和状態を超えた場合の養液を収容することができる。
【００２５】
また、折り曲げ又は折り返した保水性シート、又は別体の保水性シートを外側に行くに連れて高くなる傾斜状に形成することにより、折り曲げ又は折り返した保水性シート、又は別体の保水性シートに滴下した養液の外部への飛び跳ねを防止すると共に、保水性シートに滴下された養液の通気性素材への漏れや蒸発を防止してより効率的に養液を活用することができるようになる。
【００２６】
また、前記少なくとも片側の通気性素材の上面に保水性シートを中心として外側に行くに連れて高くなる傾斜上面を有する傾斜部材を備えることで、養液を保水性シートに集中的に供給することができるようになる。
【００２７】
前記通気性素材の少なくとも片側の上面を保水性シートを中心として外側に行くに連れて高くなる傾斜状に形成されることで、養液を保水性シートに集中的に供給することができるようになる。
【図面の簡単な説明】
【００２８】
【図１】実施例１の非循環式縦型水耕栽培システムを示す全体説明図である。
【図２】図１のＡ−Ａ線における拡大横断断面図である。
【図３】実施例１の培地を示す拡大正面図である。
【図４】実施例２の培地を示す拡大正面図である。
【図５】実施例３の培地を示す拡大正面図である。
【図６】実施例４の縦型水耕栽培システムを示す(a)、(b)、(c)３タイプの要部拡大正面図である。
【図７】実施例４の傾斜部材を示す斜視図である。
【図８】実施例５の非循環式縦型水耕栽培システムを示す全体説明図である。
【発明を実施するための形態】
【００２９】
以下にこの発明の実施例を図面に基づいて説明する。
【実施例１】
【００３０】
まず、この実施例１の非循環式縦型水耕栽培システムを図面に基づいて説明する。
この実施例１の非循環式縦型水耕栽培システムは、図１〜３に示すように、縦型水耕栽培筒１と、培地２と、養液収容タンク３と、養液供給手段４と、流量調整手段５と、水分量センサ６と、を主な構成として備えている。
【００３１】
さらに詳述すると、前記縦型水耕栽培筒１は、断面方形の筒状で、その一側面に植物の苗７を植え込むための垂直方向のスリット１１を備え、ハウス等の天井に吊るした又は床面に立設した状態で備えられている。
【００３２】
前記培地２は、保水性シート２１と、その両面を挟み込んだ通気性素材２２、２３と、で構成され、縦型水耕栽培筒１内に抜き差し可能に差込収容されている。
【００３３】
また、保水性シート２１の上端部を通気性素材２２、２３の上端より突出させて、一方の通気性素材２３の上面に折り曲げ載置し、養液供給手段４から養液８を折り曲げ載置された保水性シート２１ａに滴下させるように構成されている。
【００３４】
前記水分量センサ６は、保水性シート２１の下端部の水分量を計測するもので、保水性シート２１の下端部に備えられている。この水分量センサ６で計測された水分量は水分量計６１に表示される。
【００３５】
前記流量調整手段５は、保水性シート２１への養液８の滴下量を調整するもので、この実施例１では電動バルブ５１と、前記水分量センサ６からの信号により電動バルブ５１を自動制御することにより保水性シート２１下端部の保水量を飽和状態になるように制御する養液供給量制御手段５２を備えている。
また、縦型水耕栽培筒１の下部に保水性シート２１から滴下した養液８を受けるドレンパン９を備えることで、保水性シート２１の下端部の水分量が飽和状態を超えた場合の養液８を収容することができる。なお、このドレンパン９内には保水性素材９１を収容することにより、養液８の蒸発を抑制する。
【００３６】
次に、この実施例１の作用・効果を説明する。
【００３７】
この実施例１の非循環式縦型水耕栽培システムでは、上述のように構成されるため、図２、３に示すように、保水性シート２１と通気性素材２２との間に複数の植物の苗７を挟み込んだ状態で培地２を縦型水耕栽培筒１の中に差込装着し、養液供給ポンプ４１で養液８を折り曲げた保水性シート２１ａの上端部に滴下させると、苗７は保水性シート２１から養液８を吸収して成長し、根は通気性素材２２方向に成長する。
【００３８】
以上のように、保水性シート２１と通気性素材と２２の間に挟み込んだ植物の苗７の根が通気性素材２２に接した状態で成長するため、栽培植物の根腐れを防止することができる。
また、養液供給手段４から養液８を折り曲げ載置された保水性シート２１ａに滴下させることで、養液８を保水性シート２１にロスすることなく効果的に集めることができるようになる。従って、養液８の供給に用いられるポンプとして容量の小さなポンプの使用が可能になり、これにより、設備費及びランニングコストの低減が可能になる。
【００３９】
また、養液回収循環装置を有しない養液非循環式であるため、設備費及び定期クリーニング時におけるランニングコストの低減化が可能になる。
また、流量調整手段５から養液８を折り曲げた保水性シート２１ａに滴下させ、保水性シート２１の下端部には水分量センサ６を備えることで、水分量センサ６により計測された保水性シート２１の下端部の水分量が丁度飽和状態になるように流量調整手段５を操作することができ、これにより、養液回収装置の設置が不要、若しくはドレンパン９のような簡易なもので済む。
【００４０】
また、流量調整手段５には、電動バルブ５１と、水分量センサ６からの信号により電動バルブ５１を自動制御することにより保水性シート２１下端部の保水量を飽和状態になるように制御する養液供給量制御手段５２を備えるため、保水性シート下端部の保水量を常に飽和状態に維持することができる。これにより、余分な養液８の供給を抑制することができる。
【００４１】
次に、従来例と本実施例との栽培比較実験例について説明する。
１．本実施例：厚さ４．８cm、幅１０cm、長さ１５０cm  の通気性素材(ポリエチレン)を半分の長さで２枚に折り畳み、その間に、厚さ１mm、幅９cm、長さ７０ｃmのポリエステルフェルト（保水性シート）を挟み込み、フェルトの上端部５ｃmをポリエチレンンの上端より突出させ、その突出部をポリエチレンの上面に折り曲げ載置した状態で、断面の一辺が１０cmの正方形で、その一辺にスリットを有する縦型水耕栽培筒に差し込んだ状態。
２．比較例１：フェルトの上端部をポリエチレンの上端より上部に突出させない状態。
３．比較例２：培地がフェルトを含まないポリエチレンのみの状態。
これら上記３種の縦型水耕栽培筒に対し、バジル苗の定植を行った。
苗は９cmのポットに植わっている、草丈７〜１０cmのものを用い、水道水で根から土を洗い落とした後、ポリエチレンとフェルトとの間（比較例２の場合は両ポリエチレン相互間）にバジル苗の地下部を挟み込み、縦型水耕栽培筒に差込装着した。
肥料養液（ＯＡＴハウス１号を濃度0.8ｇ/Ｌとなるように溶解した水溶液）を毎分20ｇの速度で滴下しながら３日間太陽光下で栽培を行った。
【００４２】
比較実験結果
実施例：６苗中６苗全てが順調に生育した。
比較例１：６苗中２苗は生育を続けたが、４苗が枯れた。
比較例２：６苗中１苗は生育を続けたが、５苗が枯れた。
【００４３】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００４４】
この実施例２の縦型水耕栽培システムは、図４に示すように、前記実施例１における保水性シート２が折り曲げ載置された通気性素材２３とは反対側の通気性素材２２の上面に別体の保水性シート２４を載置し、その下端部を前記保水性シート２１と通気性素材２２との間に挟み込むことによりに保水性シート２１に接触させた構成とし、養液供給手段４から養液８を折り曲げ載置された保水性シート２１ａ又は別体の保水性シート２４に滴下させるように構成されている点で、前記実施例１とは相違したものである。
【００４５】
従って、この実施例２によれば、養液供給手段４から養液８を折り曲げ載置された保水性シート２１ａ又は別体の保水性シート２４に滴下させることで、養液８を保水性シート２１に集中的に供給することができるようになる。
また、両通気性素材２２、２３の上面を保水性シート２１を中心として外側に行くに連れて高くなる傾斜状に形成することにより、折り曲げ載置された保水性シート２１ａ、又は別体の保水性シート２４に滴下した養液８の外部への飛び跳ねを防止すると共に、保水性シート２１に滴下された養液の通気性素材２２、２３への漏れや蒸発を防止してより効率的に養液８を活用することができるようになる。
【実施例３】
【００４６】
この実施例３の縦型水耕栽培システムは、図５に示すように、実施例１における保水性シート２１の上端部を一方の通気性素材２３の上面に折り曲げ載置した保水性シート２１ａの先端部さらにもう一方の通気性素材２２の上面側に折り返し載置し、養液供給手段４から養液８を折り返し載置された保水性シート２１ｂに滴下させるように構成されている点で、前記実施例１とは相違したものである。
【００４７】
従って、この実施例３によれば、養液供給手段４から養液８を折り返し載置された保水性シート２１ｂに滴下させることで、養液８を保水性シート２１に集中的に供給することができるようになる。
また、両通気性素材２２、２３の上面を保水性シート２１を中心として外側に行くに連れて高くなる傾斜状に形成することにより、折り返し載置された保水性シート２１ｂに滴下した養液８の外部への飛び跳ねを防止すると共に、保水性シート２１ｂに滴下された養液８の通気性素材２２、２３への漏れや蒸発を防止してより効率的に養液８を活用することができるようになる。
【実施例４】
【００４８】
この実施例４の縦型水耕栽培システムは、図６の（ａ）、（ｂ）、（ｃ）、及び図７に示すように、前記両通水性素材の２２、２３上面に保水性シート２１を中心として外側に行くに連れて高くなる傾斜上面を有する断面略直角三角形の傾斜部材１０を備えた点で、前記実施例１〜３とは相違したものである。
【００４９】
従って、この実施例４によれば、養液供給手段４から折り曲げた保水性シート２１ａ（別体の保水性シート２４、折り返した保水性シート２１ｂ）に滴下した養液８の外部への飛び跳ねを防止し、保水性シート２１に集中的に供給することができ、これにより、折り曲げた保水性シート２１ａ（別体の保水性シート２４、折り返した保水性シート２１ｂ）に滴下された養液８の通気性素材２２、２３への漏れや蒸発を防止してより効率的に養液８を活用することができるようになる。
なお、傾斜部材１０の素材は任意であるが、少なくとも傾斜上面は通水性を有しない素材で構成されていることが望ましい。
また、傾斜部材１０の形状は、傾斜上面を形成するならば、断面は略直角三角形に限らず、任意である。また、傾斜部材１０の傾斜上面は直線に限らず、その他に例えば凹曲面にしてもよい。
【実施例５】
【００５０】
この実施例５の養液非循環式縦型水耕栽培システムは、図８に示すよう、流量調整手段５として、手動バルブ５３が用いられている点が、前記実施例１〜４とは相違したものである。
従って、この実施例５では、保水量計６１に表示された保水性シート２１の下端部の水分量が飽和状態を維持するように手動バルブ５３を調整する。
【００５１】
以上本実施例を説明してきたが、本発明は上述の実施例に限られるものではなく、本発明の要旨を逸脱しない範囲の設計変更等があっても、本発明に含まれる。
【００５２】
例えば、実施例では縦型水耕栽培筒を断面略方形としたが、方形以外の筒状でもよい。
【００５３】
また、この実施例では、その光源として太陽光の他にＬＥＤ等の人工光を用いる場合にも適用することができる。人工光を利用する場合は、縦型水耕栽培筒１のスリット１１側面にＬＥＤ等の人工光装置を備える。
【符号の説明】
【００５４】
１  縦型水耕栽培筒
１１  スリット
２  培地
２１  保水性シート
２１ａ  折り曲げた保水性シート
２１ｂ  折り返した保水性シート
２２  通気性素材
２３  通気性素材
２４  別体の保水性シート
３  養液収容タンク
４  養液供給手段
４１  養液供給ポンプ
５  流量調整手段
５１  電動バルブ
５２  養液供給量制御手段
５３  手動バルブ
６  水分量センサ
６１  水分量計
７  植物の苗
８  養液
９  ドレンパン
９１  保水性素材
１０  傾斜部材
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え、
前記培地は、保水性シートと、その両面を挟み込んだ通気性素材と、で構成され、
前記通気性素材の上端より突出した保水性シート上端部を少なくとも一方の通気性素材の上面に折り曲げ載置し、
前記養液供給手段には保水性シートへの養液供給量を調整する流量調整手段を備え、流量調整手段から養液を折り曲げられた保水性シートに滴下させるように構成され、
前記保水性シートの下端部には水分量センサを備えていることを特徴とする養液非循環式縦型水耕栽培システム。
【請求項２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させた構成とし、
前記養液供給手段には保水性シートへの養液供給量を調整する流量調整手段を備え、流量調整手段から養液を折り曲げ載置された保水性シート又は別体の保水性シートに滴下させるように構成され、
前記保水性シートの下端部には水分量センサを備えていることを特徴とする養液非循環式縦型水耕栽培システム。
【請求項３】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、さらにその先端をもう一方の通気性素材の上面側に折り返し載置し、
前記養液供給手段には保水性シートへの養液供給量を調整する流量調整手段を備え、流量調整手段から養液を折り返し載置された保水性シートに滴下させるように構成され、
前記保水性シートの下端部には水分量センサを備えていることを特徴とする養液非循環式縦型水耕栽培システム。
【請求項４】
請求項１〜３のいずれか１項に記載の養液非循環式縦型水耕栽培システムにおいて
前記流量調整手段が、手動バルブであることを特徴とする養液非循環式縦型水耕栽培システム。
【請求項５】
請求項１〜３のいずれか１項に記載の養液非循環式縦型水耕栽培システムにおいて
前記流量調整手段が、電動バルブと、前記水分量センサからの信号により前記電動バルブを自動制御することにより保水性シート下端部の保水量を飽和状態に制御する養液供給量制御手段とで構成されていることを特徴とする養液非循環式縦型水耕栽培システム。
【請求項６】
請求項１〜５のいずれか１項に記載の養液非循環式縦型水耕栽培システムにおいて、
前記折り曲げ又は折り返し載置された前記保水性シート、又は別体の保水性シートは、前記保水性シートの外側に行くに連れて高くなる傾斜状に形成されていること特徴とする養液非循環式縦型水耕栽培システム。
【請求項７】
請求項１〜５のいずれか１項に記載の養液非循環式縦型水耕栽培システムにおいて、
前記少なくとも片側の前記通気性素材の上面に保水性シートを中心として外側に行くに連れて高くなる傾斜上面を有する傾斜部材を備えていることを特徴とする養液非循環式縦型水耕栽培システム。
【請求項８】
請求項１〜５のいずれか１項に記載の養液非循環式縦型水耕栽培システムにおいて、
前記通気性素材の少なくとも片側の上面が保水性シートを中心として外側に行くに連れて高くなる傾斜状に形成されていること特徴とする養液非循環式縦型水耕栽培システム。
【請求項９】
請求項１〜８のいずれか１項に記載の養液非循環式縦型水耕栽培システムにおいて、
前記縦型水耕栽培筒の下部に保水性シートから滴下した養液を受けるドレンパンを備えることを特徴とする養液非循環式縦型水耕栽培システム。
【請求項１０】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を少なくとも一方の通気性素材の上面に折り曲げ載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させ、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シート又は別体の保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、さらにその先端をもう一方の通気性素材の上面側に折り返し載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り返された保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１３】
請求項１０〜１２のいずれか１項に記載の養液非循環式縦型水耕栽培方法おいて、
前記少なくとも片側の前記通気性素材の上面が保水性シートを中心として外側に行くに連れて高くなる傾斜上面を有する傾斜部材を備えることを特徴とする養液非循環式縦型水耕栽培方法。
【請求項１４】
請求項１０〜１２のいずれか１項に記載の養液非循環式縦型水耕栽培方法おいて、
前記少なくとも片側の前記通気性素材の上面が保水性シートを中心として外側に行くに連れて高くなる傾斜状に形成されていること特徴とする養液非循環式縦型水耕栽培方法。
【手続補正２】
【補正対象書類名】明細書
【補正対象項目名】０００７
【補正方法】変更
【補正の内容】
【０００７】
上記課題を解決するため請求項１記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え、
前記培地は、保水性シートと、その両面を挟み込んだ通気性素材と、で構成され、
前記通気性素材の上端より突出した保水性シート上端部を少なくとも一方の通気性素材の上面に折り曲げ載置し、
前記養液供給手段には保水性シートへの養液供給量を調整する流量調整手段を備え、流量調整手段から養液を折り曲げられた保水性シートに滴下させるように構成され、
前記保水性シートの下端部には水分量センサを備えていることを特徴とする。
【手続補正３】
【補正対象書類名】明細書
【補正対象項目名】０００８
【補正方法】変更
【補正の内容】
【０００８】
請求項２記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させた構成とし、
前記養液供給手段には保水性シートへの養液供給量を調整する流量調整手段を備え、流量調整手段から養液を折り曲げ載置された保水性シート又は別体の保水性シートに滴下させるように構成され、
前記保水性シートの下端部には水分量センサを備えていることを特徴とする。
【手続補正４】
【補正対象書類名】明細書
【補正対象項目名】０００９
【補正方法】変更
【補正の内容】
【０００９】
請求項３記載の養液非循環式縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、さらにその先端をもう一方の通気性素材の上面側に折り返し載置され、
前記養液供給手段から養液を折り返し載置された保水性シートに滴下させるように構成され、
前記保水性シートの下端部には水分量センサを備えていることを特徴とする。
上記課題を解決するため請求項１記載の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を少なくとも一方の通気性素材の上面に折り曲げ載置し、
前記養液供給手段には保水性シートへの養液供給量を調整する流量調整手段を備え、流量調整手段から養液を折り曲げ載置された保水性シートに滴下させるように構成されていることを特徴とする。
【手続補正５】
【補正対象書類名】明細書
【補正対象項目名】００１１
【補正方法】変更
【補正の内容】
【００１１】
請求項５記載の養液非循環式縦型水耕栽培システムは、請求項１〜３のいずれか１項に記載の養液非循環式縦型水耕栽培システムにおいて
前記流量調整手段が、電動バルブと、前記水分量センサからの信号により電動バルブを自動制御することにより保水性シート下端部の保水量を飽和状態に制御する養液供給量制御手段とで構成されていることを特徴とする。
【手続補正６】
【補正対象書類名】明細書
【補正対象項目名】００１２
【補正方法】変更
【補正の内容】
【００１２】
請求項６記載の養液非循環式縦型水耕栽培システムは、請求項１〜５のいずれか１項に記載の養液非循環式縦型水耕栽培システムにおいて、
前記折り曲げ又は折り返し載置された前記保水性シート、又は別体の保水性シートは、前記保水性シートの外側に行くに連れて高くなる傾斜状に形成されていること特徴とする。
【手続補正７】
【補正対象書類名】明細書
【補正対象項目名】００１３
【補正方法】変更
【補正の内容】
【００１３】
請求項７記載の養液非循環式縦型水耕栽培システムは、請求項１〜５のいずれか１項に記載の養液非循環式縦型水耕栽培システムにおいて、
前記少なくとも片側の通気性素材の上面に保水性シートを中心として外側に行くに連れて高くなる傾斜上面を有する傾斜部材を備えていることを特徴とする。
【手続補正８】
【補正対象書類名】明細書
【補正対象項目名】００１４
【補正方法】変更
【補正の内容】
【００１４】
請求項８記載の養液非循環式縦型水耕栽培システムは、請求項１〜５のいずれか１項に記載の養液非循環式縦型水耕栽培システムにおいて、
前記通気性素材の少なくとも片側の上面が保水性シートを中心として外側に行くに連れて高くなる傾斜状に形成されていること特徴とする。
【手続補正９】
【補正対象書類名】明細書
【補正対象項目名】００１７
【補正方法】変更
【補正の内容】
【００１７】
請求項１１記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させ、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シート又は別体の保水性シートに滴下させると共に、前記水分量センサで検出された保水性シート下端部の保水量が飽和状態になるように流量調整手段で調整することにより保水性シートに供給された養液で植物の苗を育成することを特徴とする。
【手続補正１０】
【補正対象書類名】明細書
【補正対象項目名】００１８
【補正方法】変更
【補正の内容】
【００１８】
請求項１２記載の養液非循環式縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、さらにその先端をもう一方の通気性素材の上面側に折り返し載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り返された保水性シートに滴下させると共に、前記水分量センサで検出された保水性シート下端部の保水量が飽和状態になるように流量調整手段で調整することにより保水性シートに供給された養液で植物の苗を育成することを特徴とする。
【手続補正１１】
【補正対象書類名】明細書
【補正対象項目名】００１９
【補正方法】変更
【補正の内容】
【００１９】
請求項１３記載の養液非循環式縦型水耕栽培方法は、請求項１０〜１２のいずれか１項に記載の非循環式縦型水耕栽培方法おいて、
前記少なくとも片側の前記通気性素材の上面が保水性シートを中心として外側に行くに連れて高くなる傾斜上面を有する傾斜部材を備えることを特徴とする。
【手続補正１２】
【補正対象書類名】明細書
【補正対象項目名】００２０
【補正方法】変更
【補正の内容】
【００２０】
請求項１４記載の養液非循環式縦型水耕栽培方法は請求項１０〜１２のいずれか１項に記載の非循環式縦型水耕栽培方法おいて、
前記少なくとも片側の前記通気性素材の上面が保水性シートを中心として外側に行くに連れて高くなる傾斜状に形成されていること特徴とする。
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え、
前記培地は、保水性シートと、その両面を挟み込んだ通気性素材と、で構成され、
前記通気性素材の上端より突出した保水性シート上端部を少なくとも一方の通気性素材の上面に折り曲げ載置し、
前記養液供給手段には保水性シートへの養液供給量を調整する流量調整手段を備え、流量調整手段から養液を折り曲げられた保水性シートに滴下させるように構成され、
前記保水性シートの下端部には水分量センサを備えていることを特徴とする養液非循環式縦型水耕栽培システム。
【請求項２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させた構成とし、
前記養液供給手段には保水性シートへの養液供給量を調整する流量調整手段を備え、流量調整手段から養液を折り曲げ載置された保水性シート又は別体の保水性シートに滴下させるように構成され、
前記保水性シートの下端部には水分量センサを備えていることを特徴とする養液非循環式縦型水耕栽培システム。
【請求項３】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置され、さらにその先端をもう一方の通気性素材の上面側に折り返し載置し、
前記養液供給手段には保水性シートへの養液供給量を調整する流量調整手段を備え、流量調整手段から養液を折り返し載置された保水性シートに滴下させるように構成され、
前記保水性シートの下端部には水分量センサを備えていることを特徴とする養液非循環式縦型水耕栽培システム。
【請求項４】
請求項１〜３のいずれか１項に記載の養液非循環式縦型水耕栽培システムにおいて
前記流量調整手段が、手動バルブであることを特徴とする養液非循環式縦型水耕栽培システム。
【請求項５】
請求項１〜３のいずれか１項に記載の養液非循環式縦型水耕栽培システムにおいて
前記流量調整手段が、電動バルブと、前記水分量センサからの信号により前記電動バルブを自動制御することにより保水性シート下端部の保水量を飽和状態に制御する養液供給量制御手段とで構成されていることを特徴とする養液非循環式縦型水耕栽培システム。
【請求項６】
請求項１〜５のいずれか１項に記載の養液非循環式縦型水耕栽培システムにおいて、
折り曲げ又は折り返し載置された前記保水性シート、又は別体の保水性シートは、前記保水性シートを中心として縦型水耕栽培筒両側側壁に行くに連れて高くなる傾斜状に形成されていること特徴とする養液非循環式縦型水耕栽培システム。
【請求項７】
請求項１〜５のいずれか１項に記載の養液非循環式縦型水耕栽培システムにおいて、
少なくとも片側の前記通気性素材の上面に保水性シートを中心として外側に行くに連れて高くなる傾斜上面を有する傾斜部材を備えていることを特徴とする養液非循環式縦型水耕栽培システム。
【請求項８】
請求項１〜５のいずれか１項に記載の養液非循環式縦型水耕栽培システムにおいて、
前記通気性素材の少なくとも片側の上面が保水性シートを中心として外側に行くに連れて高くなる傾斜状に形成されていること特徴とする養液非循環式縦型水耕栽培システム。
【請求項９】
請求項１〜８のいずれか１項に記載の養液非循環式縦型水耕栽培システムにおいて、
前記縦型水耕栽培筒の下部に保水性シートから滴下した養液を受けるドレンパンを備えることを特徴とする養液非循環式縦型水耕栽培システム。
【請求項１０】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を少なくとも一方の通気性素材の上面に折り曲げ載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成し、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させ、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り曲げ載置された保水性シート又は別体の保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、を備え、
前記縦型水耕栽培筒は、その一側面に植物の苗を植え込むための垂直方向のスリットを備え
前記培地は、保水性シートと、その両面を挟み込んだ通気性素材と、で構成され、
前記通気性素材の上端より突出した保水性シート上端部を一方の通気性素材の上面に折り曲げ載置し、さらにその先端をもう一方の通気性素材の上面側に折り返し載置し、
前記養液供給手段には保水性シートへの養液供給量を調整する流量調整手段を備え、
前記保水性シートの下端部には水分量センサを備え、
前記保水性シートと一方の通気性素材との間に複数の植物の苗を挟み込んだ状態で、前記養液供給手段から養液を折り返された保水性シートに滴下させると共に、前記水分量センサで検出された保水性シート下端部の保水量が飽和状態になるように流量調整手段で調整することにより保水性シートに供給された養液で植物の苗を育成することを特徴とする養液非循環式縦型水耕栽培方法。
【請求項１３】
請求項１０〜１２のいずれか１項に記載の養液非循環式縦型水耕栽培方法おいて、
少なくとも片側の前記通気性素材の上面が保水性シートを中心として外側に行くに連れて高くなる傾斜上面を有する傾斜部材を備えることを特徴とする養液非循環式縦型水耕栽培方法。
【請求項１４】
請求項１０〜１２のいずれか１項に記載の養液非循環式縦型水耕栽培方法おいて、
少なくとも片側の前記通気性素材の上面が保水性シートを中心として外側に行くに連れて高くなる傾斜状に形成されていること特徴とする養液非循環式縦型水耕栽培方法。
【手続補正２】
【補正対象書類名】明細書
【補正対象項目名】００１２
【補正方法】変更
【補正の内容】
【００１２】
請求項６記載の養液非循環式縦型水耕栽培システムは、請求項１〜５のいずれか１項に記載の養液非循環式縦型水耕栽培システムにおいて、
折り曲げ又は折り返し載置された前記保水性シート、又は別体の保水性シートは、前記保水性シートを中心として縦型水耕栽培筒両側側壁に行くに連れて高くなる傾斜状に形成されていること特徴とする。
【手続補正３】
【補正対象書類名】明細書
【補正対象項目名】００１３
【補正方法】変更
【補正の内容】
【００１３】
請求項７記載の養液非循環式縦型水耕栽培システムは、請求項１〜５のいずれか１項に記載の養液非循環式縦型水耕栽培システムにおいて、
少なくとも片側の通気性素材の上面に保水性シートを中心として外側に行くに連れて高くなる傾斜上面を有する傾斜部材を備えていることを特徴とする。
【手続補正４】
【補正対象書類名】明細書
【補正対象項目名】００１９
【補正方法】変更
【補正の内容】
【００１９】
請求項１３記載の養液非循環式縦型水耕栽培方法は、請求項１０〜１２のいずれか１項に記載の非循環式縦型水耕栽培方法おいて、
少なくとも片側の前記通気性素材の上面が保水性シートを中心として外側に行くに連れて高くなる傾斜上面を有する傾斜部材を備えることを特徴とする。
【手続補正５】
【補正対象書類名】明細書
【補正対象項目名】００２０
【補正方法】変更
【補正の内容】
【００２０】
請求項１４記載の養液非循環式縦型水耕栽培方法は請求項１０〜１２のいずれか１項に記載の非循環式縦型水耕栽培方法おいて、
少なくとも片側の前記通気性素材の上面が保水性シートを中心として外側に行くに連れて高くなる傾斜状に形成されていること特徴とする。